【手続補正書】
【提出日】平成19年12月20日(2007.12.20)
【手続補正１】
【補正対象書類名】明細書
【補正対象項目名】特許請求の範囲
【補正方法】変更
【補正の内容】
【特許請求の範囲】
【請求項１】  複数種類の識別情報を可変表示可能な可変表示部を複数有する可変表示装置を含み、該複数の可変表示部が可変開始した後、当該複数の可変表示部の表示結果が複数本の当りライン上のうちの少なくとも１本の当りライン上において特定の識別情報の組合わせとなった場合に遊技者にとって有利な特定遊技状態に制御可能となる遊技機であって、
前記遊技機の遊技状態を制御する遊技制御手段と、
前記複数の可変表示部を可変開始させた後、該複数の可変表示部の表示結果を導出表示させる可変表示制御を行なう可変表示制御手段とを含み、
前記遊技制御手段は、
前記特定遊技状態とするか否かを決定する特定遊技状態決定手段と、
前記複数の可変表示部を可変開始させてから、該複数の可変表示部の表示結果が導出表示されるまでの変動時間を決定する変動時間決定手段と、
前記変動時間決定手段により決定された変動時間を示す変動時間コマンドと、前記特定遊技状態決定手段の決定結果を特定するための表示結果コマンドとを前記複数の可変表示部を可変開始させるときに前記可変表示制御手段に送信するコマンド送信手段とを含み、
前記可変表示制御手段は、
前記遊技制御手段より送信された変動時間コマンドおよび表示結果コマンドを受信するコマンド受信手段と、
前記変動時間コマンドに対応する複数種類の変動パターンデータを記憶する変動パターンデータ記憶手段と、
前記変動時間コマンドに対応する変動パターンを前記変動パターンデータ記憶手段から選択する変動パターン選択手段と、
前記表示結果コマンドに対応する識別情報の組合わせを導出表示する当りラインを前記複数本の当りラインのうちから選択する当りライン選択手段とを含み、
受信した変動時間コマンドに基づいて前記変動パターン選択手段が選択した変動パターンで前記複数の可変表示部を可変開始させてから前記変動時間コマンドが示す変動時間経過後、前記当りライン選択手段が選択した当りラインに前記表示結果コマンドに対応した識別情報の組合せを導出表示させることを特徴とする、遊技機。
【手続補正２】
【補正対象書類名】明細書
【補正対象項目名】０００７
【補正方法】変更
【補正の内容】
【０００７】
【課題を解決するための手段】
請求項１に記載の本発明は、複数種類の識別情報を可変表示可能な可変表示部を複数有する可変表示装置を含み、該複数の可変表示部が可変開始した後、当該複数の可変表示部の表示結果が複数本の当りライン上のうちの少なくとも１本の当りライン上において特定の識別情報の組合わせとなった場合に遊技者にとって有利な特定遊技状態に制御可能となる遊技機であって、
前記遊技機の遊技状態を制御する遊技制御手段と、
前記複数の可変表示部を可変開始させた後、該複数の可変表示部の表示結果を導出表示させる可変表示制御を行なう可変表示制御手段とを含み、
前記遊技制御手段は、
前記特定遊技状態とするか否かを決定する特定遊技状態決定手段と、
前記複数の可変表示部を可変開始させてから、該複数の可変表示部の表示結果が導出表示されるまでの変動時間を決定する変動時間決定手段と、
前記変動時間決定手段により決定された変動時間を示す変動時間コマンドと、前記特定遊技状態決定手段の決定結果を特定するための表示結果コマンドとを前記複数の可変表示部を可変開始させるときに前記可変表示制御手段に送信するコマンド送信手段とを含み、
前記可変表示制御手段は、
前記遊技制御手段より送信された変動時間コマンドおよび表示結果コマンドを受信するコマンド受信手段と、
前記変動時間コマンドに対応する複数種類の変動パターンデータを記憶する変動パターンデータ記憶手段と、
前記変動時間コマンドに対応する変動パターンを前記変動パターンデータ記憶手段から選択する変動パターン選択手段と、
前記表示結果コマンドに対応する識別情報の組合わせを導出表示する当りラインを前記複数本の当りラインのうちから選択する当りライン選択手段とを含み、
受信した変動時間コマンドに基づいて前記変動パターン選択手段が選択した変動パターンで前記複数の可変表示部を可変開始させてから前記変動時間コマンドが示す変動時間経過後、前記当りライン選択手段が選択した当りラインに前記表示結果コマンドに対応した識別情報の組合せを導出表示させることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
【作用】
請求項１に記載の本発明によれば、遊技制御手段の働きにより、前記遊技機の遊技状態が制御される。可変表示制御手段の働きにより、前記複数の可変表示部が可変開始された後、その複数の可変表示部の表示結果が導出表示される。特定遊技状態決定手段の働きにより、特定遊技状態とするか否かが決定される。変動時間決定手段の働きにより、前記複数の可変表示部が可変開始してからその表示結果が導出表示されるまでの変動時間が決定される。コマンド送信手段の働きにより、前記変動時間決定手段により決定された変動時間を示す変動時間コマンドと、前記特定遊技状態決定手段の決定結果を特定するための表示結果コマンドとが前記可変表示制御手段へ出力される。コマンド受信手段の働きにより、前記遊技制御手段より送信された変動時間コマンドおよび表示結果コマンドが受信される。変動パターン選択手段の働きにより、前記変動時間コマンドに対応する複数種類の変動パターンデータを記憶する変動パターンデータ記憶手段の中から、前記変動時間コマンドに対応する変動パターンが選択される。当りライン選択手段の働きにより、前記表示結果コマンドに対応する識別情報の組合せが導出表示される当りラインが前記複数本の当りラインのうちから選択される。前記可変表示制御手段の働きにより、受信した変動時間コマンドに基づいて前記変動パターン選択手段が選択した変動パターンで前記複数の可変表示部が可変開始されてから前記変動時間コマンドが示す変動時間経過後、前記当りライン選択手段が選択した当りラインに前記表示結果コマンドに対応した識別情報の組合せが導出表示される。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】０２７５
【補正方法】変更
【補正の内容】
【０２７５】
パチンコ遊技機１により、複数種類の識別情報を可変表示可能な可変表示部を複数有する可変表示装置を含み、該複数の可変表示部が可変開始した後、当該複数の可変表示部の表示結果が複数本の当りライン上のうちの少なくとも１本の当りライン上において特定の識別情報の組合わせとなった場合に遊技者にとって有利な特定遊技状態に制御可能となる遊技機が構成されている。
【手続補正２３】
【補正対象書類名】明細書
【補正対象項目名】０２８６
【補正方法】変更
【補正の内容】
【０２８６】
【課題を解決するための手段の具体例の効果】
請求項１に関しては、遊技制御手段側では当りラインを管理する必要がなくなり、これにより、可変表示装置の表示制御に関する遊技制御手段側の処理負担を軽減させることが可能となる。
【手続補正２４】
【補正対象書類名】明細書
【補正対象項目名】０２８７
【補正方法】削除
【補正の内容】
【手続補正２５】
【補正対象書類名】明細書
【補正対象項目名】０２８８
【補正方法】削除
【補正の内容】
【手続補正２６】
【補正対象書類名】明細書
【補正対象項目名】０２８９
【補正方法】削除
【補正の内容】
【手続補正２７】
【補正対象書類名】明細書
【補正対象項目名】０２９０
【補正方法】削除
【補正の内容】
【手続補正２８】
【補正対象書類名】明細書
【補正対象項目名】０２９１
【補正方法】削除
【補正の内容】
【手続補正２９】
【補正対象書類名】明細書
【補正対象項目名】０２９２
【補正方法】削除
【補正の内容】
【手続補正３０】
【補正対象書類名】明細書
【補正対象項目名】０２９３
【補正方法】削除
【補正の内容】
【手続補正３１】
【補正対象書類名】明細書
【補正対象項目名】０２９４
【補正方法】削除
【補正の内容】
【手続補正３２】
【補正対象書類名】明細書
【補正対象項目名】０２９５
【補正方法】削除
【補正の内容】